(57)【要約】      （修正有）【課題】操作性がよく、画像の拡大縮小およびカーソルの移動操作を安定して行うことが可能なリモコン装置を提供する。【解決手段】リモコン装置１では、タッチセンサ１２と、リモコン装置１本体の動きを検知するとともに、検知した動きに応じてＳＴＢ２側のディスプレイ３に表示されるポインティングカーソルを移動させるため信号を出力するジャイロセンサと、ジャイロセンサから出力される信号をＳＴＢ２に送信する送信部と、ユーザの特定操作により、ディスプレイ３に表示されるポインティングカーソルの移動を無効にするカーソル移動無効化手段とを備え、送信部は、カーソル移動無効化手段によってポインティングカーソルの移動を無効にされた場合、タッチセンサ１２でのスライド操作に基づいて、ディスプレイ３に表示される画像３０を拡大縮小させるための拡大縮小信号を送信する。【選択図】図３
2015005819.tif 000002
【特許請求の範囲】
【請求項１】
ユーザからのタッチ操作を検知するタッチセンサと、
リモコン装置本体の動きを検知するとともに、検知した動きに応じて操作対象機器側の表示部に表示されるポインティングカーソルを移動させるためのポインティングカーソル移動信号を出力する動き検知部と、
前記動き検知部から出力されるポインティングカーソル移動信号を前記操作対象機器に送信する送信部と、
ユーザによる特定操作に応じて、前記操作対象機器側の表示部に表示されるポインティングカーソルの移動を無効にするカーソル移動無効化手段とを備え、
前記送信部は、前記カーソル移動無効化手段によって前記ポインティングカーソルの移動を無効にされた場合、前記タッチセンサによって検知された所定方向へのスライド操作に基づいて、前記操作対象機器側の表示部に表示される画像を拡大および縮小させるための拡大縮小信号を送信するように構成されている、リモコン装置。
【請求項２】
前記特定操作は、前記タッチセンサにおけるスライド量が所定のしきい値を超えるスライド操作を含み、
前記送信部は、前記所定のしきい値を超えるスライド操作に基づいて、前記カーソル移動無効化手段によって前記ポインティングカーソルの移動を無効にされた場合、前記所定方向へのスライド操作に基づいて、前記拡大縮小信号を送信するように構成されている、請求項１に記載のリモコン装置。
【請求項３】
前記カーソル移動無効化手段は、前記所定のしきい値を超えるスライド操作に応じて、前記送信部を介して前記ポインティングカーソル移動信号を無効化するための信号を送信するように構成されている、請求項２に記載のリモコン装置。
【請求項４】
前記ポインティングカーソル移動信号を無効化するための信号は、前記タッチセンサにおけるスライド量が前記所定のしきい値を超えた場合に送信されるスライド量信号を含む、請求項３に記載のリモコン装置。
【請求項５】
前記送信部は、前記タッチセンサがタッチされた際に、前記タッチセンサがタッチされたことを伝える信号を送信するとともに、スライド量が前記所定のしきい値を超えた場合に前記ポインティングカーソル移動信号を無効化するための信号としても機能する前記スライド量信号を送信するように構成されている、請求項４に記載のリモコン装置。
【請求項６】
前記送信部は、前記タッチセンサへのタッチ状態が解除された際に、タッチ状態が解除された信号を、ポインティングカーソルの移動を再開させるためのトリガ信号として送信するように構成されている、請求項５に記載のリモコン装置。
【請求項７】
前記リモコン装置本体の所定の軸周りの傾きを検出する傾斜センサをさらに備え、
前記送信部は、ユーザにより前記リモコン装置本体が所定の軸周りに傾けられることにより、前記傾斜センサにより検出された傾斜角に応じて、前記表示部に表示された前記画像を回動させるための信号を送信するように構成されている、請求項１〜６のいずれか１項に記載のリモコン装置。
【請求項８】
前記タッチセンサは、リモコン装置本体の操作時の位置においてユーザによる第１方向へスライド操作により前記画像を拡大するための信号を出力するとともに、ユーザによる前記第１方向とは逆の第２方向へのスライド操作により前記画像を縮小するための信号を出力するように構成されている、請求項１〜７のいずれか１項に記載のリモコン装置。
【請求項９】
前記送信部は、ユーザによるスライド操作の速度に応じて前記表示部に表示される前記画像の拡大率および縮小率を変更させる信号を送信するように構成されている、請求項１〜８のいずれか１項に記載のリモコン装置。
【請求項１０】
操作対象機器と、
前記操作対象機器側に設けられた表示部と、
前記操作対象機器に信号を送信することにより前記表示部を操作可能なリモコン装置とを備え、
前記リモコン装置は、
ユーザからのタッチ操作を検知するタッチセンサと、
リモコン装置本体の動きを検知するとともに、検知した動きに応じて操作対象機器側の表示部に表示されるポインティングカーソルを移動させるためのポインティングカーソル移動信号を出力する動き検知部と、
前記動き検知部から出力されるポインティングカーソル移動信号を前記操作対象機器に送信する送信部と、
ユーザによる特定操作に応じて、前記操作対象機器側の表示部に表示されるポインティングカーソルの移動を無効にするカーソル移動無効化手段とを含み、
前記送信部は、前記カーソル移動無効化手段によって前記ポインティングカーソルの移動を無効にされた場合、前記タッチセンサによって検知された所定方向へのスライド操作に基づいて、前記操作対象機器側の表示部に表示される画像を拡大および縮小させるための拡大縮小信号を送信するように構成されている、リモコンシステム。
【請求項１１】
前記特定操作は、前記タッチセンサにおけるスライド量が所定のしきい値を超えるスライド操作を含み、
前記送信部は、前記所定のしきい値を超えるスライド操作に基づいて、前記カーソル移動無効化手段によって前記ポインティングカーソルの移動を無効にされた場合、前記所定方向へのスライド操作に基づいて、前記拡大縮小信号を送信するように構成されている、請求項１０に記載のリモコンシステム。
【請求項１２】
前記操作対象機器は、前記リモコン装置の前記送信部からの信号を受信する受信部と、前記表示部に前記画像を表示させる信号を出力する出力部とを含み、
前記カーソル移動無効化手段は、前記所定のしきい値を超えるスライド操作に応じて、前記送信部を介して前記ポインティングカーソル移動信号を無効化するための信号を送信するように構成され、
前記出力部は、前記ポインティングカーソル移動信号を無効化するための信号が前記送信部により送信されて前記受信部により受信されたことに基づいて、前記ポインティングカーソル移動信号を無効化するための信号に基づく信号を前記表示部に出力するように構成されている、請求項１１に記載のリモコンシステム。
【請求項１３】
前記出力部は、前記送信部から前記ポインティングカーソル移動信号を無効化するための信号が送信されている場合に、拡大縮小カーソルを表示する信号を出力するとともに、前記画像を拡大する場合には、前記無効化されたポインティングカーソルを中心として２つの離間した拡大縮小カーソルが遠ざかる信号を出力し、前記画像を縮小する場合には、前記無効化されたポインティングカーソルを中心として２つの離間した拡大縮小カーソルが近づく信号を出力するように構成されている、請求項１２に記載のリモコンシステム。
【発明の詳細な説明】
【技術分野】
【０００１】
この発明は、リモコン装置およびリモコンシステムに関し、特に、動き検知部を備えたリモコン装置およびリモコン装置を有するリモコンシステムに関する。
【背景技術】
【０００２】
従来、動き検知部を備えたリモコン装置などが知られている（たとえば、特許文献１参照）。
【０００３】
上記特許文献１には、加速度センサ（動き検知部）と、角速度センサ（傾きセンサ）と、通信部（送信部）とを備えた入力装置（リモコン装置）が開示されている。この入力装置は、通信部（受信部）を有する画像表示装置と通信可能に構成されている。また、入力装置は、ユーザが入力装置本体を略垂直姿勢に保持したのを角速度センサにより検知して、画像表示装置に表示された画像のズーム（拡大縮小）モードとなるように構成されている。また、入力装置は、ユーザが入力装置本体を略水平姿勢に保持したのを角速度センサにより検知して、ポインティング（ポインティングカーソルの操作）モードとなるように構成されている。また、入力装置は、ズームモードの場合にユーザによる入力装置本体の上下方向への移動量を加速度センサにより検出することによって、移動量に応じて画像を拡大縮小可能に構成されている。
【先行技術文献】
【特許文献】
【０００４】
【特許文献１】特開平７−５９１７０号公報
【発明の概要】
【発明が解決しようとする課題】
【０００５】
しかしながら、上記特許文献１に記載の入力装置では、ズームモードとポインティングモードとを角速度センサの検知結果に基づいて切り替えるため、正しい傾斜状態（傾斜角度）が取得できずに切り替えが正しく行われない場合があると考えられる。さらに、ユーザが意図しないモードの切り替えが誤って行われる場合もあると考えられる。このような場合には、ユーザの意図に反する画像の拡大縮小およびカーソルの移動操作が行われてしまう。また、画像の拡大縮小を行う際に、手振れにより入力装置本体の上下方向への移動量が安定せずに、拡大縮小後の画像の大きさが安定しない場合がある。したがって、この引用文献１の入力装置は、画像の拡大縮小およびカーソルの移動操作を安定して行いにくく、操作性が悪いという問題点がある。
【０００６】
この発明は、上記のような課題を解決するためになされたものであり、この発明の１つの目的は、操作性がよく、画像の拡大縮小およびカーソルの移動操作を安定して行うことが可能なリモコン装置およびリモコンシステムを提供することである。
【課題を解決するための手段】
【０００７】
この発明の第１の局面によるリモコン装置は、ユーザからのタッチ操作を検知するタッチセンサと、リモコン装置本体の動きを検知するとともに、検知した動きに応じて操作対象機器側の表示部に表示されるポインティングカーソルを移動させるためのポインティングカーソル移動信号を出力する動き検知部と、動き検知部から出力されるポインティングカーソル移動信号を操作対象機器に送信する送信部と、ユーザによる特定操作に応じて、操作対象機器側の表示部に表示されるポインティングカーソルの移動を無効にするカーソル移動無効化手段とを備え、送信部は、カーソル移動無効化手段によってポインティングカーソルの移動を無効にされた場合、タッチセンサによって検知された所定方向へのスライド操作に基づいて、操作対象機器側の表示部に表示される画像を拡大および縮小させるための拡大縮小信号を送信するように構成されている。
【０００８】
この発明の第１の局面によるリモコン装置では、上記のように、送信部を、カーソル移動無効化手段によってポインティングカーソルの移動を無効にされた場合、タッチセンサによって検知された所定方向へのスライド操作に基づいて、操作対象機器側の表示部に表示される画像を拡大および縮小させるための拡大縮小信号を送信するように構成する。これにより、画像の拡大縮小を行う際に、ポインティングカーソルの移動が無効化されることによって、スライド操作による画像の拡大縮小の際に、意図しないポインティングカーソルの移動を抑制することができるので、安定して画像の拡大縮小を行うことができる。また、画像の拡大縮小のためのスライド操作は、リモコン装置のタッチパネルをユーザがタッチした状態で行われるので、手振れを抑制することができる。したがって、画像の拡大縮小およびポインティングカーソルの移動操作を安定して行うことができる。
【０００９】
上記第１の局面によるリモコン装置において、好ましくは、特定操作は、タッチセンサにおけるスライド量が所定のしきい値を超えるスライド操作を含み、送信部は、所定のしきい値を超えるスライド操作に基づいて、カーソル移動無効化手段によってポインティングカーソルの移動を無効にされた場合、所定方向へのスライド操作に基づいて、拡大縮小信号を送信するように構成されている。このように構成すれば、画像の拡大縮小を行う際に、スライド操作のみで、ポインティングカーソルの移動の無効化と画像の拡大縮小とを同時に行うことができるので、リモコン装置を片手で保持した状態で安定して操作を行うことができる。この結果、操作性のよいリモコン装置を得ることができる。また、しきい値を設けることにより、スライド操作をタッチ操作と誤って検知することを抑制することができるので、リモコン装置の操作性をより向上させることができる。
【００１０】
この場合、好ましくは、カーソル移動無効化手段は、所定のしきい値を超えるスライド操作に応じて、送信部を介してポインティングカーソル移動信号を無効化するための信号を送信するように構成されている。このように構成すれば、リモコン装置側で、ポインティングカーソルの移動を無効化するための制御を行う必要がないので、リモコン装置での制御による負荷を軽減することができる。
【００１１】
上記カーソル移動無効化手段がポインティングカーソル移動信号を無効化するための信号を送信する構成において、好ましくは、ポインティングカーソル移動信号を無効化するための信号は、タッチセンサにおけるスライド量が所定のしきい値を超えた場合に送信されるスライド量信号を含んでいる。このように構成すれば、ポインティングカーソル移動信号を無効化するための信号にスライド量信号が含まれるので、１つの信号により、スライド量の送信とポインティングカーソルの移動の無効化とを行うことができる。これにより、信号送信時の負荷を軽減することができる。
【００１２】
上記ポインティングカーソル移動信号を無効化するための信号がスライド量信号を含む構成において、好ましくは、送信部は、タッチセンサがタッチされた際に、タッチセンサがタッチされたことを伝える信号を送信するとともに、スライド量が所定のしきい値を超えた場合にポインティングカーソル移動信号を無効化するための信号としても機能するスライド量信号を送信するように構成されている。このように構成すれば、タッチされたことを伝える信号と、スライド量信号とが異なる信号となるので、タッチされたことを伝える信号をスライド量信号とは別の操作（決定操作など）に用いることができる。
【００１３】
上記タッチされたことを伝える信号を送信する構成において、好ましくは、送信部は、タッチセンサへのタッチ状態が解除された際に、タッチ状態が解除された信号を、ポインティングカーソルの移動を再開させるためのトリガ信号として送信するように構成されている。このように構成すれば、タッチ状態が解除された信号がトリガ信号となるので、タッチ状態が解除された後、ポインティングカーソルの移動をすぐに開始することができる。
【００１４】
上記第１の局面によるリモコン装置において、好ましくは、リモコン装置本体の所定の軸周りの傾きを検出する傾斜センサをさらに備え、送信部は、ユーザによりリモコン装置本体が所定の軸周りに傾けられることにより、傾斜センサにより検出された傾斜角に応じて、表示部に表示された画像を回動させるための信号を送信するように構成されている。このように構成すれば、傾斜センサにより検出された傾斜角に応じて、画像を回動させることができるようになるので、画像の拡大縮小を安定して行うと同時に、画像の回動も合わせて行うことができる。
【００１５】
上記第１の局面によるリモコン装置において、好ましくは、タッチセンサは、リモコン装置本体の操作時の位置においてユーザによる第１方向へスライド操作により画像を拡大するための信号を出力するとともに、ユーザによる第１方向とは逆の第２方向へのスライド操作により画像を縮小するための信号を出力するように構成されている。このように構成すれば、スライド方向を逆向きにすることだけで、画像の拡大および縮小の異なる操作を行うことができるので、ユーザにとってわかり易く、簡易な操作で画像の拡大および縮小を行うことができる。その結果、リモコン装置の操作性をより向上させることができる。
【００１６】
上記第１の局面によるリモコン装置において、好ましくは、送信部は、ユーザによるスライド操作の速度に応じて表示部に表示される画像の拡大率および縮小率を変更させる信号を送信するように構成されている。このように構成すれば、スライド操作の速度に応じて画像の拡大率および縮小率を変化させることができるので、１度のスライド操作により、拡大率および縮小率を大きくして画像の大きさを一度に大きく変更させることができるとともに、拡大率および縮小率を小さくして、画像の大きさを細かく変更させることができる。これにより、リモコン装置の操作性をより向上させることができる。
【００１７】
この発明の第２の局面によるリモコンシステムは、操作対象機器と、操作対象機器側に設けられた表示部と、操作対象機器に信号を送信することにより表示部を操作可能なリモコン装置とを備え、リモコン装置は、ユーザからのタッチ操作を検知するタッチセンサと、リモコン装置本体の動きを検知するとともに、検知した動きに応じて操作対象機器側の表示部に表示されるポインティングカーソルを移動させるためのポインティングカーソル移動信号を出力する動き検知部と、動き検知部から出力されるポインティングカーソル移動信号を操作対象機器に送信する送信部と、ユーザによる特定操作に応じて、操作対象機器側の表示部に表示されるポインティングカーソルの移動を無効にするカーソル移動無効化手段とを含み、送信部は、カーソル移動無効化手段によってポインティングカーソルの移動を無効にされた場合、タッチセンサによって検知された所定方向へのスライド操作に基づいて、操作対象機器側の表示部に表示される画像を拡大および縮小させるための拡大縮小信号を送信するように構成されている。
【００１８】
この発明の第２の局面によるリモコンシステムでは、上記のように、送信部を、カーソル移動無効化手段によってポインティングカーソルの移動を無効にされた場合、タッチセンサによって検知された所定方向へのスライド操作に基づいて、操作対象機器側の表示部に表示される画像を拡大および縮小させるための拡大縮小信号を送信するように構成する。これにより、画像の拡大縮小を行う際に、ポインティングカーソルの移動が無効化されることによって、スライド操作による画像の拡大縮小の際に意図しないポインティングカーソルの移動を抑制することができるので、安定して画像の拡大縮小を行うことができる。また、画像の拡大縮小のためのスライド操作は、リモコン装置のタッチパネルをユーザがタッチした状態で行われるので、手振れを抑制することができる。したがって、画像の拡大縮小およびポインティングカーソルの移動操作を安定して行うことができる。
【００１９】
この発明の第２の局面によるリモコンシステムでは、上記のように、特定操作は、タッチセンサにおけるスライド量が所定のしきい値を超えるスライド操作を含み、送信部は、所定のしきい値を超えるスライド操作に基づいて、カーソル移動無効化手段によってポインティングカーソルの移動を無効にされた場合、所定方向へのスライド操作に基づいて、拡大縮小信号を送信するように構成されている。このように構成すれば、画像の拡大縮小を行う際に、スライド操作のみで、ポインティングカーソルの移動の無効化と画像の拡大縮小とを同時に行うことができるので、リモコン装置を片手で保持した状態で安定して操作を行うことができる。この結果、操作性のよいリモコン装置を備えるリモコンシステムを得ることができる。また、しきい値を設けることにより、スライド操作をタッチ操作と誤って検知することを抑制することができるので、リモコン装置の操作性をより向上させることができる。
【００２０】
この場合、好ましくは、操作対象機器は、リモコン装置の送信部からの信号を受信する受信部と、表示部に画像を表示させる信号を出力する出力部とを含み、カーソル移動無効化手段は、所定のしきい値を超えるスライド操作に応じて、送信部を介してポインティングカーソル移動信号を無効化するための信号を送信するように構成され、出力部は、ポインティングカーソル移動信号を無効化するための信号が送信部により送信されて受信部により受信されたことに基づいて、ポインティングカーソル移動信号を無効化するための信号に基づく信号を表示部に出力するように構成されている。このように構成すれば、リモコン装置側で、ポインティングカーソルの移動を無効化するための制御を行う必要がないので、リモコン装置での制御による負荷を軽減することができる。
【００２１】
上記カーソル移動無効化手段がポインティングカーソル移動信号を無効化するための信号を送信する構成において、好ましくは、出力部は、送信部からポインティングカーソル移動信号を無効化するための信号が送信されている場合に、拡大縮小カーソルを表示する信号を出力するとともに、画像を拡大する場合には、無効化されたポインティングカーソルを中心として２つの離間した拡大縮小カーソルが遠ざかる信号を出力し、画像を縮小する場合には、無効化されたポインティングカーソルを中心として２つの離間した拡大縮小カーソルが近づく信号を出力するように構成されている。このように構成すれば、２つの拡大縮小カーソルが表示されることにより、ユーザが表示部上で疑似的にピンチイン操作およびピンチアウト操作を行っている感覚を得ることができるので、操作性をより向上させることができる。
【発明の効果】
【００２２】
本発明によれば、上記のように、操作性がよく、画像の拡大縮小およびカーソルの移動操作を安定して行うことが可能なリモコン装置およびリモコンシステムを提供することができる。
【図面の簡単な説明】
【００２３】
【図１】本発明の第１実施形態によるリモコンシステムの全体構成を示した斜視図である。
【図２】本発明の第１実施形態によるリモコンシステムの構成を示したブロック図である。
【図３】本発明の第１実施形態によるリモコンシステムにより画像を拡大する状態を示した斜視図である。
【図４】本発明の第１実施形態によるディスプレイに表示された画像を拡大する状態を説明するための平面図である。
【図５】本発明の第１実施形態によるリモコンシステムにより画像を縮小する状態を示した斜視図である。
【図６】本発明の第１実施形態による画像の拡大縮小の処理を示したフローチャートである。
【図７】本発明の第２実施形態によるリモコンシステムにより画像を回動する状態を示した斜視図である。
【図８】本発明の第２実施形態によるリモコンシステムの構成を示したブロック図である。
【図９】本発明の第２実施形態による画像の拡大縮小および回動の処理を示したフローチャートである。
【図１０】本発明の第３実施形態によるリモコン装置のスライド操作の速度に応じて、高倍率モードおよび通常倍率モードを区別する方法について説明するための平面図である。
【発明を実施するための形態】
【００２４】
以下、本発明を具体化した実施形態を図面に基づいて説明する。
【００２５】
（第１実施形態）
図１〜図６を参照して、本発明の第１実施形態によるリモコンシステム１００の構成を説明する。
【００２６】
本発明の第１実施形態によるリモコンシステム１００は、図１に示すように、リモコン装置１と、ＳＴＢ（Ｓｅｔ  Ｔｏｐ  Ｂｏｘ）２と、ディスプレイとを備えている。このリモコンシステム１００は、リモコン装置１の操作により、ＳＴＢ２を介してディスプレイ３に表示された画像３０の拡大縮小やディスプレイ３上における操作位置を示すポインティングカーソル３１の移動を行うことができるように構成されている。また、リモコンシステム１００は、ディスプレイ３上の画像３０を拡大縮小する際に、ポインティングカーソル３１の移動を無効化するように構成されている。なお、ＳＴＢ２は、本発明の「操作対象機器」の一例である。また、ディスプレイ３は、本発明の「表示部」の一例である。
【００２７】
リモコン装置１は、図２に示すように、ジャイロセンサ１１と操作面１ａ（図１参照）に形成されたタッチセンサ１２と、制御部１３と、送信部１４とを備え、矩形の平板状に形成されている。また、リモコン装置１は、主に操作面１ａを上方に向けて操作されるように構成されている。また、リモコン装置１は、図１に示すように、リモコン装置１のＳＴＢ２側に向けられた軸Ａ方向とリモコン装置１の長手方向とが略一致するように、操作対象であるＳＴＢ２に向けて配置されるとともに、軸Ａ方向に所定の信号を送信してＳＴＢ２を操作するように構成されている。また、制御部１３は、リモコン装置１の各部を制御するように構成されている。また、送信部１４は、ジャイロセンサ１１およびタッチセンサ１２から出力された信号を制御部１３を介して取得して、ＳＴＢ２に送信するように構成されている。なお、ジャイロセンサ１１は、本発明の「動き検知部」の一例である。また、制御部１３は、本発明の「カーソル移動無効化手段」の一例である。
【００２８】
また、リモコン装置１により操作されるＳＴＢ２は、受信部２１と、制御部２２と、出力部２３とを備えている。受信部２１は、リモコン装置１の送信部１４からの信号を受信するように構成されている。また、制御部２２は、ＳＴＢ２の各部を制御するように構成されている。また、出力部２３は、リモコン装置１から取得した信号を制御部２２による制御を介して、ディスプレイ３に出力するように構成されている。
【００２９】
また、ディスプレイ３は、図３に示すように、配線４を介してＳＴＢ２に接続され、ＳＴＢ２から出力された信号に基づいて画像３０を表示するように構成されている。また、ディスプレイ３は、ユーザにより操作されるリモコン装置１の動きに基づいて移動するポインティングカーソル３１を表示するように構成されている。また、ディスプレイ３は、ポインティングカーソル３１をユーザがリモコン装置１を用いて操作することにより、表示された所定項目の選択決定などが行われるように構成されている。また、ディスプレイ３は、一対の拡大縮小カーソル３２ａおよび３２ｂを表示するように構成されている。拡大縮小カーソル３２ａおよび３２ｂは、画像３０の拡大縮小の操作時において、ユーザが拡大縮小の程度を把握することが可能なように構成されている。また、拡大縮小カーソル３２ａおよび３２ｂは、ディスプレイ３上のＸ方向に離間して表示されるように構成されている。また、拡大縮小カーソル３２ａおよび３２ｂは、画像３０を拡大させる操作時には、Ｘ方向に沿って互いに離れる方向に移動し、画像３０を縮小させる操作時には、Ｘ方向に沿って互いに近づく方向に移動するように構成されている。なお、画像３０の拡大縮小操作の詳細については、後述する。
【００３０】
次に、図１〜図５を参照して、リモコン装置１の各部の構成について説明する。
【００３１】
ジャイロセンサ１１（図２参照）は、リモコン装置１本体の動きを検知するとともに、検知した動きに応じてディスプレイ３に表示されるポインティングカーソル３１を移動させるためのカーソル移動信号を出力するように構成されている。詳細には、ジャイロセンサ１１は、図１に示すように、リモコン装置１の左右方向（Ｂ１方向およびＢ２方向）および上下方向（Ｃ１方向およびＣ２方向）への動きを検出可能に構成されている。また、ジャイロセンサ１１により検知された動きは、ポインティングカーソル移動信号としてＳＴＢ２に送信され、ＳＴＢ２の制御部２２（図２参照）において、ポインティングカーソル３１を所定量移動させる信号に変換されてディスプレイ３に出力されるように構成されている。また、リモコン装置１の左右方向（Ｂ１方向およびＢ２方向）への移動は、それぞれディスプレイ３上のＸ１方向およびＸ２方向への移動に変換されるとともに、上下方向（Ｃ１方向およびＣ２方向）への移動は、それぞれディスプレイ３上のＹ１方向およびＹ２方向への移動に変換されるように構成されている。また、ジャイロセンサ１１は、ディスプレイ３の電源を入れた後、リモコン装置１とＳＴＢ２との通信が可能となった時点で有効（ポインティングカーソル３１の移動が可能）となるように構成されている。
【００３２】
タッチセンサ１２は、操作面１ａ上の短手方向（左右方向）に延びる細長い矩形状に形成されている。また、タッチセンサ１２は、上記のように、タッチセンサを有しており、ユーザの指などによるタッチ操作やスライド操作を感知するように構成されている。
【００３３】
ここで、第１実施形態では、タッチセンサ１２は、ユーザによるタッチセンサにタッチした状態での左右方向へのスライド操作に基づいて、ＳＴＢ２に接続されたディスプレイ３に表示される画像３０を拡大縮小させるための拡大縮小信号を出力することが可能なように構成されている。詳細には、タッチセンサ１２は、図３および図４に示すユーザによる左方向（Ｂ１方向）へのスライド操作に基づいて画像３０を拡大するための信号を出力するとともに、図５に示すユーザによる右方向（Ｂ２方向）へのスライド操作に基づいて画像３０を縮小するための信号を出力するように構成されている。この際、タッチセンサ１２におけるスライド量に応じて一律の拡大率または縮小率で画像３０を拡大または縮小させるように構成されている。
【００３４】
また、タッチセンサ１２のスライド量には、ポインティングカーソル３１の移動を無効化する所定のしきい値が設けられている。すなわち、タッチセンサ１２において、スライド量が所定のしきい値を超えるスライド操作が行われた場合には、リモコン装置１の制御部１３は、送信部１４を介して、ポインティングカーソル移動信号を無効化するための信号をＳＴＢ２に送信するように構成されている。この際、ＳＴＢ２の制御部２２は、出力部２３を介して、ポインティングカーソル移動信号を無効化するための信号に基づく信号をディスプレイ３に出力するように構成されている。これにより、ディスプレイ３において、ＳＴＢ２からの信号に基づいて、ポインティングカーソル３１が表示されなくなるように構成されている。つまり、制御部１３が、所定のしきい値を超えるスライド操作に応じて、ディスプレイ３に表示されるポインティングカーソル３１の移動を無効にすることによって、リモコン装置１は、スライド操作による画像３０の拡大縮小と、リモコン装置１の動きに基づいたポインティングカーソル３１の移動とを同時に行うことがないように構成されている。
【００３５】
次に、図３および図４を参照して、タッチセンサ１２でのスライド操作に基づく画像３０の拡大について説明する。
【００３６】
まず、図３に示すように、スライド操作を開始するために、リモコン装置１のタッチセンサ１２の右側端部近傍（Ｂ２側）がユーザによりタッチされる。この時点では、ディスプレイ３上のポインティングカーソル３１は、図４に示すように、点Ｐ１（ｘ１、ｙ１）を指している。そして、左方向（Ｂ１方向）へのスライド操作が開始され、スライド量が所定のしきい値ｓ１を超えると、リモコン装置１からポインティングカーソル移動信号を無効化するための信号がＳＴＢ２に送信される。その結果、ディスプレイ３上にポインティングカーソル３１が表示されなくなる。また、代わりとして、２つの拡大縮小カーソル３２ａおよび３２ｂが、それぞれＰ２（ｘ１−ｓ１、ｙ１）および点Ｐ３（ｘ１＋ｓ１、ｙ１）を指すようにそれぞれ表示される。さらに、左方向（Ｂ１方向）へのスライド操作が継続されると、点Ｐ２および点Ｐ３上にある拡大縮小カーソル３２ａおよび３２ｂはＸ方向に沿って互いに離れるように移動する。この際、左方向（Ｂ１方向）へのスライド操作に基づいて、点Ｐ１が表示されていた位置を中心として画像３０が拡大されていく。そして、拡大縮小カーソル３２ａおよび３２ｂがディスプレイ３上の点Ｐ４（ｘ１−ｓ２、ｙ１）および点Ｐ５（ｘ１＋ｓ２、ｙ１）に位置したところで、ユーザがタッチを終了する。この時、拡大された画像３０の大きさが確定する。また、送信部１４は、タッチセンサ１２へのタッチ状態が解除された際に、タッチ状態が解除された信号を、ポインティングカーソルの移動を再開させるためのトリガ信号として送信する。すなわち、タッチの終了により、拡大縮小カーソル３２ａおよび３２ｂが表示されなくなるとともに、無効化されていたポインティングカーソル３１が表示されるようになり、ポインティングカーソル３１の移動が可能となる。なお、図４に示す点Ｐ１〜Ｐ５は、説明のために描画した点であり、実際にディスプレイ３上に表示されることはない。
【００３７】
また、図５に示すように、画像３０を縮小させる操作は、上記の画像３０を拡大させる操作と同様にして行われる。なお、画像３０を縮小するためには、タッチセンサ１２は、右方向にスライド操作される。また、２つの拡大縮小カーソル３２ａおよび３２ｂは、Ｘ方向に沿って互いに近づくように移動する。また、拡大縮小カーソル３２ａおよび３２ｂは、Ｘ方向に沿って互いに重ならないように位置が調整される。
【００３８】
次に、図６を参照して、第１実施形態によるリモコン装置１の制御部１３によるディスプレイ３に表示される画像３０の拡大縮小の処理フローについて説明する。
【００３９】
まず、ステップＳ１において、ディスプレイ３の電源がオンにされると、リモコン装置１とＳＴＢ２と間の通信が可能となり、ジャイロセンサ１１が有効にされる。その結果、ジャイロセンサ１１からリモコン装置１の動きに基づくポインティングカーソル移動信号が出力される。そして、ステップＳ２に進む。
【００４０】
次に、ステップＳ２において、画像３０を拡大または縮小するために、タッチセンサ１２がタッチされている状態であるか否かが判断される。タッチされていない状態であるならば、タッチされるまでステップＳ２が繰り返される。また、タッチされている状態と判断される場合には、ステップＳ３において、タッチセンサ１２のタッチの開始信号がＳＴＢ２に送信される。
【００４１】
次に、ステップＳ４において、タッチセンサ１２のタッチ状態が継続しているか否かが判断される。タッチ状態が継続していないと判断されるならば、ステップＳ５に進む。すなわち、スライド量が所定のしきい値に達する前に、スライド操作が終了したと判断される場合には、ステップＳ６に進み、タッチ状態が解除されたことを伝える信号（タッチ終了の信号）が送信される。これにより、ＳＴＢ２の制御部２２においてタッチが終了したと判断される。なお、ＳＴＢ２は、タッチが終了したと判断した時点で、タッチ操作に基づく何らかの制御（たとえば、決定操作）を行うことが可能である。また、タッチ状態が解除されたことを伝える信号によりポインティングカーソル３１の移動が再開される。これにより、制御部１３による処理フローが終了する。
【００４２】
また、ステップＳ４において、タッチが継続していると判断されるならば、ステップＳ７において、スライド量が所定のしきい値を超えたか否かが判断される。しきい値を超えていないと判断される場合には、再び、ステップＳ４に戻り、タッチ状態が継続されているか否かが判断される。また、しきい値を超えている場合には、ステップＳ８に進む。
【００４３】
次に、ステップＳ８において、ジャイロセンサ１１の動きに応じたポインティングカーソル移動信号を無効化するための信号が送信される。これにより、ポインティングカーソル３１が表示されなくなる。また、スライド量を伝える信号の送信が開始されるとともに、拡大縮小信号の送信も行われる。これにより、ディスプレイ３上の画像３０がスライド量に応じて拡大縮小される。そして、ステップＳ９に進む。
【００４４】
次にステップＳ９において、タッチ状態が継続されているか否かが判断される。そして、タッチ状態が継続しているならば、タッチ状態が終了するまでステップＳ９が繰り返される。また、タッチ状態が終了されたならばステップＳ５に進む。
【００４５】
次に、ステップＳ５において、スライド量を伝える信号の送信が停止される。そして、ステップＳ６に進み、タッチ状態が解除されたことを伝える信号が送信される。また、タッチ状態が解除されたことを伝える信号によりポインティングカーソル３１の移動が再開される。また、拡大縮小された画像３０の大きさが確定される。以上で、リモコン装置１の制御部１３によるディスプレイ３に表示される画像３０の拡大縮小の処理フローが終了する。
【００４６】
第１実施形態では、上記のように、送信部１４を、制御部１３によってポインティングカーソル３１の移動を無効にされた場合、タッチセンサ１２によって検知された所定方向（Ｂ方向）へのスライド操作に基づいて、操作対象機器側の表示部３に表示される画像３０を拡大および縮小させるための拡大縮小信号を送信するように構成する。これにより、画像３０の拡大縮小を行う際に、ポインティングカーソル３１の移動が無効化されることによって、スライド操作による画像３０の拡大縮小の際に、意図しないポインティングカーソル３１の移動を抑制することができるので、安定して画像３０の拡大縮小を行うことができる。また、画像３０の拡大縮小のためのスライド操作は、リモコン装置１のタッチパネル１２をユーザがタッチした状態で行われるので、手振れを抑制することができる。したがって、画像３０の拡大縮小およびポインティングカーソル３１の移動操作を安定して行うことができる。
【００４７】
また、第１実施形態では、上記のように、送信部１４を、タッチセンサ１２におけるスライド量が所定のしきい値を超えたスライド操作に基づいて、制御部１３によってポインティングカーソル３１の移動を無効にされた場合、所定方向（Ｂ方向）へのスライド操作に基づいて、拡大縮小信号を送信するように構成する。これにより、画像３０の拡大縮小を行う際に、スライド操作のみで、ポインティングカーソル３１の移動の無効化と画像３０の拡大縮小とを同時に行うことができるので、リモコン装置１を片手で保持した状態で安定して操作を行うことができる。この結果、操作性のよいリモコン装置１を得ることができる。また、しきい値を設けることにより、スライド操作をタッチ操作と誤って検知することを抑制することができるので、リモコン装置１の操作性をより向上させることができる。
【００４８】
また、第１実施形態では、上記のように、制御部１３を、所定のしきい値を超える操作に応じて、送信部１４を介してポインティングカーソル移動信号を無効化するための信号を送信するように構成する。これにより、リモコン装置１側で、ポインティングカーソル３１の移動を無効化するための制御を行う必要がないので、リモコン装置１での制御による負荷を軽減することができる。
【００４９】
また、第１実施形態では、上記のように、ポインティングカーソル移動信号を無効化するための信号は、タッチセンサ１２におけるスライド量が所定のしきい値を超えた場合に送信されるスライド量信号を含む。これにより、ポインティングカーソル移動信号を無効化するための信号にスライド量信号が含まれるので、１つの信号により、スライド量の送信とポインティングカーソル３１の移動の無効化とを行うことができる。これにより、信号送信時の負荷を軽減することができる。
【００５０】
また、第１実施形態では、上記のように、送信部１４は、タッチセンサ１２がタッチされた際に、タッチセンサ１２がタッチされたことを伝える信号を送信するとともに、スライド量が所定のしきい値を超えた場合にポインティングカーソル移動信号を無効化するための信号としても機能するスライド量信号を送信するように構成されている。これにより、タッチされたことを伝える信号と、スライド量信号とが異なる信号となるので、タッチされたことを伝える信号をスライド量信号とは別の操作（決定操作など）に用いることができる。
【００５１】
また、第１実施形態では、上記のように、送信部１４は、タッチセンサ１２へのタッチ状態が解除された際に、タッチ状態が解除された信号を、ポインティングカーソル３１の移動を再開させるためのトリガ信号として送信する。これにより、タッチ状態が解除された信号がトリガ信号となるので、タッチ状態が解除された後、ポインティングカーソル３１の移動をすぐに開始することができる。
【００５２】
また、第１実施形態では、上記のように、タッチセンサ１２を、リモコン装置１本体の操作時の位置においてユーザによる第１方向へスライド操作により画像３０を拡大するための信号を出力するとともに、ユーザによる第１方向とは逆の第２方向へのスライド操作により画像３０を縮小するための信号を出力するように構成する。これにより、スライド方向を逆向きにすることだけで、画像３０の拡大および縮小の異なる操作を行うことができるので、ユーザにとってわかり易く、簡易な操作で画像３０の拡大および縮小を行うことができる。その結果、リモコン装置１の操作性をより向上させることができる。
【００５３】
また、第１実施形態では、上記のように、出力部２３を、送信部１４からポインティングカーソル移動信号を無効化するための信号が送信されている場合に、拡大縮小カーソル３２ａおよび３２ｂを表示する信号を出力するとともに、画像３０を拡大する場合には、無効化されたポインティングカーソル３１を中心として２つの離間した拡大縮小カーソル３２ａおよび３２ｂが遠ざかる信号を出力し、画像３０を縮小する場合には、無効化されたポインティングカーソル３１を中心として２つの離間した拡大縮小カーソル３２ａおよび３２ｂが近づく信号を出力するように構成する。これにより、２つの拡大縮小カーソル３２ａおよび３２ｂが表示されることにより、ユーザがディスプレイ３上で疑似的にピンチイン操作およびピンチアウト操作を行っている感覚を得ることができるので、操作性をより向上させることができる。
【００５４】
（第２実施形態）
次に、図７〜図９を参照して、本発明の第２実施形態によるリモコンシステム２００の構成について説明する。
【００５５】
この第２実施形態では、タッチセンサ１２におけるスライド操作に基づいて、画像３０を拡大縮小可能に構成した上記第１実施形態に加えて、画像３０を回動可能に構成したリモコンシステム２００について説明する。
【００５６】
本発明の第２実施形態のリモコンシステム２００のリモコン装置２０１は、図８に示すように、傾斜センサ１５と、ジャイロセンサ１１と、操作面１ａにタッチセンサを有するタッチセンサ１２と、制御部１３と、送信部１４とを備えている。また、傾斜センサ１５は、リモコン装置２０１の軸Ａ（図７参照）周りの傾きを検知可能に構成されている。
【００５７】
ここで、第２実施形態では、送信部１４は、図８に示すように、ユーザによりリモコン装置２０１本体の軸Ａに対して傾けられることにより、傾斜センサ１５により検出された傾斜角に応じて、ディスプレイ３に表示された画像３０を回動させるための傾き量を伝える信号をＳＴＢ２に送信するように構成されている。また、送信部１４は、この画像３０を回動させるための信号を、上記第１実施形態において説明した画像３０の拡大および縮小が可能な間に送信するように構成されている。すなわち、リモコン装置２０１は、タッチセンサ１２におけるスライド量が所定のしきい値に達した時点から、タッチが終了するまでの間において、画像３０を拡大縮小および回動させる操作が可能なように構成されている。
【００５８】
次に、図７を参照して、タッチセンサ１２のスライド操作に基づく画像３０の回動について説明する。
【００５９】
まず、スライド操作を開始するために、リモコン装置２０１のタッチセンサ１２の右側端部近傍がユーザによりタッチされる。この時点では、ディスプレイ３上には、ポインティングカーソル３１が点Ｐ１を指している。そして、左方向（Ｂ１方向）へのスライド操作が開始され、スライド量が所定のしきい値を超えると、リモコン装置２０１からポインティングカーソル移動信号を無効化するための信号がＳＴＢ２に送信される。その結果、ディスプレイ３上にポインティングカーソル３１が表示されなくなり、拡大縮小カーソル３２ａおよび３２ｂが表示される。ここまでは、第１実施形態で説明した画像３０を拡大させるための操作と同様である。そして、表示されない点Ｐ１を中心にして、画像３０を回動させることが可能となる。たとえば、リモコン装置２０１を軸Ａに対して時計回りに回動させると、ディスプレイ３上に表示される画像３０も点Ｐ１が表示されていた位置を中心として時計回りに回動する。
【００６０】
次に、図９を参照して、第２実施形態によるリモコン装置２０１の制御部１３によるディスプレイ３に表示される画像３０の拡大縮小および回動の処理フローについて説明する。なお、ステップＳ５１およびＳ８１以外のステップは上記第１実施形態と同様であるため簡単に説明する。
【００６１】
まず、ステップＳ１〜Ｓ７において、ジャイロセンサ１１が有効にされた後、所定のしきい値までのスライド操作が検知される。そして、ステップＳ８において、ジャイロセンサ１１の動きに応じたポインティングカーソル移動信号を無効化するための信号が送信される。そしてステップＳ８１に進む。
【００６２】
次に、ステップＳ８１において、傾斜センサ１５により検出された傾斜角に応じて、ディスプレイ３に表示される画像３０を回動させるための傾き量を伝える信号の送信が開始される。そして、ステップＳ９に進み、タッチ状態が継続されているか否かが繰り返し判断される。そして、タッチが終了されたならば、ステップＳ５に進み、スライド量を伝える信号の送信が停止される。そして、ステップＳ５１に進む。
【００６３】
次に、ステップＳ５１において、傾き量を伝える信号の送信が停止される。そして、ステップＳ６に進み、タッチ状態が解除されたことを伝える信号が送信されることにより、タッチが終了したと判断される。以上で、リモコン装置２０１の制御部１３によるディスプレイ３に表示される画像３０の拡大縮小および回動の処理フローが終了する。
【００６４】
なお、第２実施形態のその他の構成は、上記第１実施形態と同様である。
【００６５】
第２実施形態では、上記のように、送信部１４を、制御部１３によってポインティングカーソル３１の移動を無効にされた場合、所定方向（Ｂ方向）へのスライド操作に基づいて、拡大縮小信号を送信するように構成する。これにより、画像３０の拡大縮小およびカーソルの移動操作を安定して行うことができる。
【００６６】
また、第２実施形態では、上記のように、リモコン装置２０１本体の所定の軸Ａ周りの傾きを検出する傾斜センサ１５をさらに設け、送信部１４を、ユーザによりリモコン装置２０１本体が所定の軸Ａ周りに傾けられることにより、傾斜センサ１５により検出された傾斜角に応じて、タッチセンサ１２に表示された画像３０を回動させるための信号を送信するように構成する。これにより、傾斜センサ１５により検出された傾斜角に応じて、画像３０を回動させることができるようになるので、画像３０の拡大縮小を安定して行うと同時に、画像３０の回動も合わせて行うことができる。
【００６７】
なお、第２実施形態のその他の効果は、上記第１実施形態と同様である。
【００６８】
（第３実施形態）
次に、図１０を参照して、本発明の第３実施形態によるリモコン装置１について説明する。
【００６９】
この第３実施形態では、上記第１実施形態とは異なり、スライド操作の速度に応じて、画像の拡大率および縮小率が変更される場合について説明する。
【００７０】
本発明の第３実施形態のリモコン装置１は、ユーザによるスライド操作の速度に応じてディスプレイに表示される画像の拡大率および縮小率を変更させる信号を送信するように構成されている。また、リモコン装置１には、高倍率モード（画像の拡大率または縮小率が大きいモード）および通常倍率モード（画像の拡大率または縮小率が小さいモード）が設けられている。
【００７１】
なお、第３実施形態のその他の構成は、上記第１実施形態と同様である。
【００７２】
次に、図１０を参照して、スライド操作の速度に応じて、高倍率モードおよび通常倍率モードを区別する方法について説明する。
【００７３】
点ｐ１は、スライド操作を開始するポイントを示している。また、点ｐ２は、点ｐ１からスライド操作を開始した場合にしきい値となるポイントを示している。また、点ｐ３はスライド操作の速度を判断するポイントを示している。ここで、第３実施形態では、スライド操作時において、しきい値に達した時点から約０．１秒経過するまでに点ｐ３を超えるスライド量（スライド操作の速度）となる場合には、高倍率モードであると判断される。また、しきい値に達した時点から約０．１秒経過するまでに点ｐ３を超えないスライド量（スライド操作の速度）となる場合には、通常倍率モードであると判断される。そして、高倍率モードであると判断された場合には、拡大率または縮小率が大きな値に変更されて、スライド量に応じて画像が大きく拡大縮小される一方、通常倍率モードであると判断された場合には、スライド量に応じて画像が比較的小さく拡大縮小される。
【００７４】
第３実施形態では、上記のように、送信部１４を、制御部１３によってポインティングカーソル３１の移動を無効にされた場合、所定方向（Ｂ方向）へのスライド操作に基づいて、拡大縮小信号を送信するように構成する。これにより、画像３０の拡大縮小およびカーソルの移動操作を安定して行うことができる。
【００７５】
また、第３実施形態では、上記のように、送信部１４を、ユーザによるスライド操作の速度に応じてタッチセンサ１２に表示される画像３０の拡大率および縮小率を変更させる信号を送信するように構成する。これにより、スライド操作の速度に応じて画像３０の拡大率および縮小率を変化させることができるので、１度のスライド操作により、拡大率および縮小率を大きくして画像３０の大きさを一度に大きく変更させることができるとともに、拡大率および縮小率を小さくして、画像３０の大きさを細かく変更させることができる。これにより、リモコン装置１の操作性をより向上させることができる。
【００７６】
なお、第３実施形態のその他の効果は、上記第１実施形態と同様である。
【００７７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７８】
たとえば、上記第１〜第３実施形態では、リモコン装置は、タッチセンサにより操作を行う例を示したが、本発明はこれに限られない。本発明では、リモコン装置がボタンを備え、タッチセンサに加えてボタンにより操作を行うように構成してもよい。
【００７９】
また、上記第２実施形態では、リモコン装置が傾斜センサを有し、傾斜センサによりリモコン装置の傾斜角を検出することによって、ディスプレイ上の画像を回動可能に構成する例を示したが、本発明はこれに限られない。本発明では、たとえば、リモコン装置が傾斜センサを有さずに、ジャイロセンサによりリモコン装置の傾斜角を検出することによって、ディスプレイ上の画像を回動可能に構成してもよい。
【００８０】
また、上記第１〜第３実施形態では、タッチセンサをリモコン装置の操作面の左右方向（短手方向）に延びる細長い矩形状に形成する例を示したが、本発明はこれに限られない。本発明では、たとえば、タッチセンサがリモコン装置の操作面の略全面に形成されるような形状であってもよい。
【００８１】
また、上記第３実施形態では、スライド操作の速度に応じて高倍率モードおよび通常倍率モードの２つのモードに分けて、画像の拡大縮小を行う例を示したが、本発明はこれに限られない。本発明では、たとえば、スライド速度に比例して画像の拡大率および縮小率が変わるようにしてもよい。
【００８２】
また、上記第１〜第３実施形態では、リモコンシステムを、リモコン装置と、ＳＴＢとディスプレイとから構成する例を示したが、本発明はこれに限られない。本発明では、たとえば、リモコンシステムを、リモコン装置と、テレビジョン装置とから構成してもよい。
【００８３】
また、上記第１〜第３実施形態では、スライド量がしきい値を超えた場合に、拡大縮小信号を送信するような例を示したが、本発明はこれに限られない。本発明では、たとえば、スライド量がしきい値を超えなくても拡大縮小信号を送信して画像を拡大縮小してもよい。
【００８４】
また、上記第１〜第３実施形態では、ポインティングカーソルの移動を無効にするための「特定操作」として、スライド量がしきい値を超えるスライド操作を示したが、本発明はこれに限られない。本発明では、たとえば、タッチパネルの所定の位置をユーザがタッチするタッチ操作を本発明の「特定操作」としてもよい。この場合、本発明のスライド操作に基づく「スライド量信号」とタッチ操作に基づく「ポインティングカーソルの移動を無効化するための信号」とが別途送信されるので、ＳＴＢ側において、より確実にポインティングカーソルの移動を無効化することが可能である。
【００８５】
また、上記第２実施形態では、「特定操作」として、しきい値を超えるスライド操作により、ポインティングカーソルの移動を無効化して、回動操作を行う例を示したが、本発明はこれに限られない。本発明では、たとえば、回動操作のみを行う場合に、回動角度がしきい値を超える回動操作を「特定操作」として、用いてもよい。
【００８６】
また、上記第１〜第３実施形態では、ＳＴＢの制御部により、リモコン装置から送信されたポインティングカーソルの移動を無効化する信号に基づいて、ポインティングカーソルの移動を無効にする例を示したが、本発明はこれに限られない。本発明では、たとえば、リモコン装置により、ポインティングカーソル移動信号の出力を停止することにより、ポインティングカーソルの移動を無効にしてもよい。
【符号の説明】
【００８７】
１、２０１  リモコン装置
２  ＳＴＢ（操作対象機器）
３  ディスプレイ（表示部）
１１  ジャイロセンサ（動き検知部）
１２  タッチセンサ
１３  制御部（カーソル移動無効化手段）
１４  送信部
１５  傾斜センサ
２１  受信部
２３  出力部
３０  画像
３１  ポインティングカーソル
３２ａ、３２ｂ  拡大縮小カーソル
１００、２００  リモコンシステム
【図１】
2015005819.tif 000003
【図２】
2015005819.tif 000004
【図３】
2015005819.tif 000005
【図４】
2015005819.tif 000006
【図５】
2015005819.tif 000007
【図６】
2015005819.tif 000008
【図７】
2015005819.tif 000009
【図８】
2015005819.tif 000010
【図９】
2015005819.tif 000011
【図１０】
2015005819.tif 000012